(57)【要約】【課題】  部品点数を少なくでき、組立性が向上し、しかも肘掛けの使い心地を向上しうるようにした椅子の肘掛け装置を提供する。【解決手段】  肘当て基板２の外周部に、周面に複数の係合孔７を有する起立片８と、その下端より外向きに延出し、上面に凹溝９を有する縁片１０とを設けるとともに、芯材５の外周縁に、起立片８に外嵌され、かつ内周面に係合孔７に係合する係合爪１１を突設した下向片１２を連設し、この下向片１２の外周面と下端部を表装材６により覆い、下向片１２の下方の表装材６の下端部を縁片１０の凹溝９に嵌合する。【選択図】      図２
2006102131.tif 000002
【特許請求の範囲】
【請求項１】
肘当て基板と、その上面に空間を設けて取り付けられたパッド部材とを備え、該パッド部材を、適度に弾性変形可能な硬質合成樹脂製の芯材と、その表面を覆う軟質合成樹脂製の表装材とにより形成してなる椅子の肘掛け装置において、前記肘当て基板の外周部に、周面に複数の係合孔を有する起立片と、その下端より外向きに延出し、上面に凹溝を有する縁片とを設けるとともに、前記芯材の外周縁に、前記起立片に外嵌され、かつ内周面に前記係合孔に係合する係合爪を突設した下向片を連設し、この下向片の外周面と下端部を前記表装材により覆い、前記下向片の下方の表装材の下端部を前記縁片の凹溝に嵌合したことを特徴とする椅子の肘掛け装置。
【請求項２】
芯材の下向片は、係合爪のある部分は厚く、係合爪のない部分は薄く形成した請求項１記載の椅子の肘掛け装置。
【請求項３】
肘当て基板の起立片の係合孔およびそれに係合する芯材の係合爪を、水平方向に長い長方形とした請求項１または２記載の椅子の肘掛け装置。
【発明の詳細な説明】
【技術分野】
【０００１】
本発明は、肘当て基板と、その上面に空間を設けて取り付けられたパッド部材とを備え、かつ該パッド部材を、適度に弾性変形可能な硬質合成樹脂製の芯材と、その表面を覆う軟質合成樹脂製の表装材とにより形成してなる椅子の肘掛け装置に関する。
【背景技術】
【０００２】
従来の椅子の肘掛け装置は、肘当て基板とパッド部材との取り付けを、両者の内方に形成される空間部の角部４箇所で、肘当て基板から上方に突設されるボス部の上面とパッド部材から下方に突設される雌ねじ部の下面を当接させ、ねじを肘当て基板の下方からボス部に設けた通孔を挿通させて、上記雌ねじ部に螺合させることにより行っていた（例えば、特許文献１及び特許文献２参照）。
【特許文献１】特開２０００−３３３７７６号公報
【特許文献２】特開２０００−３３３７７７号公報
【発明の開示】
【発明が解決しようとする課題】
【０００３】
しかし、従来の椅子の肘掛け装置は、肘当て基板とパッド部材の取り付けにねじを使用しているので、部品点数が多く、組み立てに時間が掛かり、またパッド部材における四隅のねじ取付部がパッド部材の弾性変形を局部的に妨げ、肘掛け時に、均一な弾力性が得られず、不快感を与えるおそれがある。
本発明は、従来の技術が有する上記のような問題点に鑑み、部品点数が少なく、組立性に優れ、しかも、パッド部材がほぼ全体にわたって均一に弾性変形することができ、肘掛け時の感触がよい椅子の肘掛け装置を提供することを目的としている。
【課題を解決するための手段】
【０００４】
本発明によると、上記課題は、次のようにして解決される。
(１) 肘当て基板と、その上面に空間を設けて取り付けられたパッド部材とを備え、該パッド部材を、適度に弾性変形可能な硬質合成樹脂製の芯材と、その表面を覆う軟質合成樹脂製の表装材とにより形成してなる椅子の肘掛け装置において、前記肘当て基板の外周部に、周面に複数の係合孔を有する起立片と、その下端より外向きに延出し、上面に凹溝を有する縁片とを設けるとともに、前記芯材の外周縁に、前記起立片に外嵌され、かつ内周面に前記係合孔に係合する係合爪を突設した下向片を連設し、この下向片の外周面と下端部を前記表装材により覆い、前記下向片の下方の表装材の下端部を前記縁片の凹溝に嵌合する。
【０００５】
(２)上記(１)項において、芯材の下向片は、係合爪のある部分は厚く、係合爪のない部分は薄く形成する。
【０００６】
(３)上記(１)または(２)項において、肘当て基板の起立片の係合孔およびそれに係合する芯材の係合爪を、水平方向に長い長方形とする。
【発明の効果】
【０００７】
本発明によると、次のような効果を奏することができる。
(ａ)請求項１記載の発明によれば、肘当て基板とパッド部材との取り付けにねじを使う必要がないため、部品点数を少なくでき、組立性が向上する。
また、肘当て基板とパッド部材との内方に形成される空間部の角部に、パッド部材の弾性変形の妨げとなるボス部や雌ねじ部といったねじ取付けのための局部的な剛体部分をなくすことができるため、パッド部材をほぼ全域にわたって均一に弾性変形しうるようにすることができ、肘掛けの使い心地を向上させることができる。
【０００８】
(ｂ)請求項２記載の発明によれば、芯材の下向片は、係合爪のある部分は厚く、係合爪のない部分は薄く形成したので、肘当て基板とパッド部材との結合強度を低下させることなく、材料の削減と軽量化を図ることができる。
【０００９】
(ｃ)請求項３記載の発明によれば、肘当て基板の起立片の係合孔およびそれに係合する芯材の係合爪を、水平方向に長い長方形としたので、肘当て基板と芯材との結合強度を高めることができる。
【発明を実施するための最良の形態】
【００１０】
以下、本発明の一実施形態を、図１〜図５に基づいて説明する。図１は、本実施形態の肘掛け装置の側面図、図２は、図１のII−II線端面図、図３は、肘当て基板の斜視図、図４は、図３のIV−IV線端面図、図５は、芯材を上下反転して示す斜視図である。
【００１１】
本実施形態の椅子の肘掛け装置(１)は、前後方向に長い平面視ほぼ長方形の肘当て基板(２)と、その上面に所要の空間(３)を形成して取り付けられるパッド部材(４)とを備え、該パッド部材(４)は、適度に弾性変形可能な硬質合成樹脂製の芯材(５)と、その表面を覆う軟質合成樹脂製の表装材(６)とにより形成されている。
【００１２】
肘当て基板(２)の外周部には、周面に複数の係合孔(７)を有する起立片(８)と、その下端より外向きに延出し、上面に凹溝(９)を有する縁片(10)とが設けられており、また芯材(５)の外周縁には、上記起立片(８)に外嵌され、かつ内周面に上記係合孔(７)に係合する係合爪(11)を突設した下向片(12)が連設されている。そして、この下向片(12)の外周面と下端部を上記表装材(６)により覆い、下向片(12)の下方の表装材(６)の下端部を上記縁片(10)の凹溝(９)に嵌合している。
【００１３】
上記芯材(５)の下向片(12)は、係合爪(11)のある部分は厚く、係合爪(11)のない部分は薄く形成している。このため、肘当て基板(２)とパッド部材(４)との結合強度を低下させることなく、材料の削減と軽量化を図ることができる。
また、肘当て基板(２)の起立片(８)の係合孔(７)およびそれに係合する芯材(５)の係合爪(11)を、水平方向に長い長方形としている。このため、肘当て基板(２)と芯材(５)との結合強度を高めることができる。
【００１４】
肘当て基板(２)の後部中央には、図示しない肘掛け支柱の上端に設けられた支持軸が嵌合する上下方向を向くボス(13)が設けられており、このボス(13)を中心として、肘当て基板(２)の底部上面には、放射状のリブ(14)が設けられている。
【００１５】
図２に示すように、リブ(14)の上端は、常時は芯材(５)の下面から離間しているが、肘掛け時に、パッド部材(４)が下方にある程度弾性撓曲したとき、芯材(５)の下面に当接して、パッド部材(４)のそれ以上の下方への弾性撓曲を阻止するようになっている。
【００１６】
芯材(５)の上面には、前後方向に長い多数の長孔状の小孔(15)が適宜のパターンで設けられており、各小孔(15)に軟質の表装材(６)が充填されることにより、表装材(６)の感触を損なうことなく、芯材(５)の弾性を高めるようにしている。
【００１７】
本実施形態の肘掛け装置は、上記のような構成としてあるので、肘当て基板(２)とパッド部材(４)との取り付けにねじを使う必要がなく、部品点数を少なくでき、組立性が向上する。また、肘当て基板(２)とパッド部材(４)との内方に形成される空間部の角部に、パッド部材(４)の弾性変形の妨げとなるボス部や雌ねじ部といったねじ取付けのための局部的な剛体部分をなくすことができるため、パッド部材(４)を、ほぼ全域にわたって均一に弾性変形しうるようにすることができる。
【図面の簡単な説明】
【００１８】
【図１】本発明の一実施形態の肘掛け装置の側面図である。
【図２】図１のII−II線端面図である。
【図３】肘当て基板の斜視図である。
【図４】図３のIV−IV線端面図である。
【図５】芯材を上下反転して示す斜視図である。
【符号の説明】
【００１９】
(１)肘掛け装置
(２)肘当て基板
(３)空間
(４)パッド部材
(５)芯材
(６)表装材
(７)係合孔
(８)起立片
(９)凹溝
(10)縁片
(11)係合爪
(12)下向片
(13)ボス
(14)リブ
(15)小孔
【図１】
2006102131.tif 000003
【図２】
2006102131.tif 000004
【図３】
2006102131.tif 000005
【図４】
2006102131.tif 000006
【図５】
2006102131.tif 000007